(57)【要約】【課題】端末機種の違いや搭載されている機能の違いを意識することなく、表現力が豊かな電子メールを簡易に楽しむことのできる技術を提供することを課題とする。【解決手段】携帯電話装置１０は、プレーンテキストの電子メールを受信する。キーワード抽出部３１は、電子メールテキストデータ２５を入力し、３Ｄグラフィックデータベース２２を参照してキーワードを抽出する。３Ｄグラフィックデータ選択部３２は、抽出したキーワードに対応する３Ｄグラフィックデータを取得する。表示データ作成部３３は、テキスト文章の中でキーワード部分については３Ｄグラフィックデータに置き換えた３Ｄグラフィックメールを作成する。３Ｄグラフィックデータはアニメーション定義データを含んでおり、キーワードに対応する部分には、３Ｄグラフィックのアニメーションが再生される。【選択図】図３
2006215801.tif 000002
【特許請求の範囲】
【請求項１】
電子メールを受信する手段と、
所定のキーワードと対応付けられた３Ｄグラフィックデータを蓄積する３Ｄグラフィックデータベースと、
前記電子メールのテキスト文章から前記３Ｄグラフィックデータベースに登録されているキーワードを抽出する手段と、
抽出したキーワードに対応する３Ｄグラフィックデータを前記３Ｄグラフィックデータベースから取得する手段と、
前記テキスト文章のキーワード以外の部分については元のテキスト文章を表示し、前記テキスト文章のキーワード部分については３Ｄグラフィックデータを置き換えて表示することにより、３Ｄグラフィックメールを表示する表示手段と、
を備えることを特徴とする電子メール表示装置。
【請求項２】
請求項１に記載の電子メール表示装置において、
前記３Ｄグラフィックデータベースに蓄積されている３Ｄグラフィックデータには、３Ｄグラフィックに動きを与えるアニメーション定義データが含まれており、
前記表示手段は、
前記テキスト文章のキーワード部分を３Ｄグラフィックのアニメーションに置き換えて再生する手段、
を含むことを特徴とする電子メール表示装置。
【請求項３】
請求項２に記載の電子メール表示装置において、
前記表示手段は、
前記３Ｄグラフィックのアニメーションが最終的に前記テキスト文章のキーワード部分で動作するように制御する手段、
を含むことを特徴とする電子メール表示装置。
【請求項４】
電子メールを受信する工程と、
前記電子メールのテキスト文章から３Ｄグラフィックデータベースに登録されているキーワードを抽出する工程と、
抽出したキーワードに対応する３Ｄグラフィックデータを前記３Ｄグラフィックデータベースから取得する工程と、
前記テキスト文章のキーワード以外の部分は元のテキスト文章を表示し、前記テキスト文章のキーワード部分については３Ｄグラフィックデータを置き換えて表示することにより、３Ｄグラフィックメールを表示する表示工程と、
を備えることを特徴とする電子メール表示方法。
【請求項５】
請求項４に記載の電子メール表示方法において、
前記３Ｄグラフィックデータベースに蓄積されている３Ｄグラフィックデータには、３Ｄグラフィックに動きを与えるアニメーション定義データが含まれており、
前記表示工程は、
前記テキスト文章のキーワード部分を３Ｄグラフィックのアニメーションに置き換えて表示する工程、
を含むことを特徴とする電子メール表示方法。
【請求項６】
請求項５に記載の電子メール表示方法において、
前記表示工程は、
前記３Ｄグラフィックのアニメーションが最終的に前記テキスト文章のキーワード部分で動作するように制御する工程、
を含むことを特徴とする電子メール表示方法。
【請求項７】
コンピュータにインストールされることにより、請求項４ないし請求項６のいずれかに記載の電子メール表示方法を実行するコンピュータプログラム。
【請求項８】
テキストデータを入力する手段と、
所定のキーワードに対応付けられた３Ｄグラフィックデータを蓄積する３Ｄグラフィックデータベースと、
前記テキストデータのテキスト文章から前記３Ｄグラフィックデータベースに登録されているキーワードを抽出する手段と、
抽出したキーワードに対応する３Ｄグラフィックデータを前記３Ｄグラフィックデータベースから取得する手段と、
前記テキスト文章のキーワード以外の部分は元のテキスト文章を表示し、前記テキスト文章のキーワード部分については３Ｄグラフィックデータを置き換えて表示することにより、３Ｄグラフィックデータを表示する表示手段と、
を備えることを特徴とする電子データ表示装置。
【請求項９】
請求項８に記載の電子データ表示装置において、
前記３Ｄグラフィックデータベースに蓄積されている３Ｄグラフィックデータには、３Ｄグラフィックに動きを与えるアニメーション定義データが含まれており、
前記表示手段は、
前記テキスト文章のキーワード部分を３Ｄグラフィックのアニメーションに置き換えて再生する手段、
を含むことを特徴とする電子データ表示装置。
【請求項１０】
請求項９に記載の電子データ表示装置において、
前記表示手段は、
前記３Ｄグラフィックのアニメーションが最終的に前記テキスト文章のキーワード部分で動作するように制御する手段、
を含むことを特徴とする電子データ表示装置。
【請求項１１】
テキストデータを入力する工程と、
前記テキストデータのテキスト文章から３Ｄグラフィックデータベースに登録されているキーワードを抽出する工程と、
抽出したキーワードに対応する３Ｄグラフィックデータを前記３Ｄグラフィックデータベースから取得する工程と、
前記テキスト文章のキーワード以外の部分は元のテキスト文章を表示し、前記テキスト文章のキーワード部分については３Ｄグラフィックデータを置き換えて表示することにより、３Ｄグラフィックデータを表示する表示工程と、
を備えることを特徴とする電子データ表示方法。
【請求項１２】
請求項１１に記載の電子データ表示方法において、
前記３Ｄグラフィックデータベースに蓄積されている３Ｄグラフィックデータには、３Ｄグラフィックに動きを与えるアニメーション定義データが含まれており、
前記表示工程は、
前記テキスト文章のキーワード部分を３Ｄグラフィックのアニメーションに置き換えて表示する工程、
を含むことを特徴とする電子データ表示方法。
【請求項１３】
請求項１２に記載の電子データ表示方法において、
前記表示工程は、
前記３Ｄグラフィックのアニメーションが最終的に前記テキスト文章のキーワード部分で動作するように制御する工程、
を含むことを特徴とする電子データ表示方法。
【請求項１４】
コンピュータにインストールされることにより、請求項１１ないし請求項１３のいずれかに記載の電子データ表示方法を実行するコンピュータプログラム。
【発明の詳細な説明】
【技術分野】
【０００１】
本発明は、携帯電話やパーソナルコンピュータで受信した電子メールの他各種の電子データの再生技術に関する。
【背景技術】
【０００２】
携帯電話やパーソナルコンピュータを利用した電子メールの交換は重要なコミュニケーションの手段となっている。そして、電子メールは単なる情報の伝達手段として利用されるだけでなく、感情を豊かに表現する手段として、遊びの要素を取り入れたメッセージ伝達手段として利用されるようになってきている。このため、電子メールシステムについては機能の多様化が進んでいる。たとえば、文字を点滅させたり、文字を移動させたりする機能や、アニメーション画像を表示させる機能などが付加されている。また、下記特許文献１あるいは特許文献２には、３Ｄ（３次元）データを用いた電子メールの利用方法が開示されている。
【０００３】
【特許文献１】特開２００４−２３４６１４号公報
【特許文献２】特開２００４−３４３２３０号公報
【発明の開示】
【発明が解決しようとする課題】
【０００４】
しかし、上述した様々な機能を実現するためには、電子メールの送信側と受信側の双方に、それら機能を実現するための仕組みが必要である。したがって、電子メールを送信しようとする者が、様々な機能を利用して電子メールを作成した場合であっても、受信側の端末が、それらの機能に対応していない場合には、意図したように電子メールが表示されない。また、受信側が、様々な機能を利用した電子メールを受信、表示したくとも、そのような機能を利用した電子メールが送信側で作成されていなければ、当然ながら、それら機能を利用することができない。このような問題があるため、携帯電話端末には、電子メールに関する様々な機能があるにも関わらず、それら機能を利用しないユーザも多い。
【０００５】
そこで、本発明は前記問題点に鑑み、端末機種間の仕様の違いによる制限を受けることなく、表現力が豊かな電子メールを簡易に楽しむことのできる技術を提供することを目的とする。
【課題を解決するための手段】
【０００６】
上記課題を解決するため、請求項１記載の発明は、電子メールを受信する手段と、所定のキーワードと対応付けられた３Ｄグラフィックデータを蓄積する３Ｄグラフィックデータベースと、前記電子メールのテキスト文章から前記３Ｄグラフィックデータベースに登録されているキーワードを抽出する手段と、抽出したキーワードに対応する３Ｄグラフィックデータを前記３Ｄグラフィックデータベースから取得する手段と、前記テキスト文章のキーワード以外の部分については元のテキスト文章を表示し、前記テキスト文章のキーワード部分については３Ｄグラフィックデータを置き換えて表示することにより、３Ｄグラフィックメールを表示する表示手段と、を備えることを特徴とする。
【０００７】
請求項２の発明は、請求項１に記載の電子メール表示装置において、前記３Ｄグラフィックデータベースに蓄積されている３Ｄグラフィックデータには、３Ｄグラフィックに動きを与えるアニメーション定義データが含まれており、前記表示手段は、前記テキスト文章のキーワード部分を３Ｄグラフィックのアニメーションに置き換えて再生する手段、を含むことを特徴とする。
【０００８】
請求項３の発明は、請求項２に記載の電子メール表示装置において、前記表示手段は、前記３Ｄグラフィックのアニメーションが最終的に前記テキスト文章のキーワード部分で動作するように制御する手段、を含むことを特徴とする。
【０００９】
請求項４の発明は、電子メールを受信する工程と、前記電子メールのテキスト文章から３Ｄグラフィックデータベースに登録されているキーワードを抽出する工程と、抽出したキーワードに対応する３Ｄグラフィックデータを前記３Ｄグラフィックデータベースから取得する工程と、前記テキスト文章のキーワード以外の部分は元のテキスト文章を表示し、前記テキスト文章のキーワード部分については３Ｄグラフィックデータを置き換えて表示することにより、３Ｄグラフィックメールを表示する表示工程と、を備えることを特徴とする。
【００１０】
請求項５の発明は、請求項４に記載の電子メール表示方法において、前記３Ｄグラフィックデータベースに蓄積されている３Ｄグラフィックデータには、３Ｄグラフィックに動きを与えるアニメーション定義データが含まれており、前記表示工程は、前記テキスト文章のキーワード部分を３Ｄグラフィックのアニメーションに置き換えて表示する工程、を含むことを特徴とする。
【００１１】
請求項６の発明は、請求項５に記載の電子メール表示方法において、前記表示工程は、前記３Ｄグラフィックのアニメーションが最終的に前記テキスト文章のキーワード部分で動作するように制御する工程、を含むことを特徴とする。
【００１２】
請求項７の発明は、コンピュータプログラムであって、コンピュータにインストールされることにより、請求項４ないし請求項６のいずれかに記載の電子メール表示方法を実行する。
【００１３】
請求項８の発明は、テキストデータを入力する手段と、所定のキーワードに対応付けられた３Ｄグラフィックデータを蓄積する３Ｄグラフィックデータベースと、前記テキストデータのテキスト文章から前記３Ｄグラフィックデータベースに登録されているキーワードを抽出する手段と、抽出したキーワードに対応する３Ｄグラフィックデータを前記３Ｄグラフィックデータベースから取得する手段と、前記テキスト文章のキーワード以外の部分は元のテキスト文章を表示し、前記テキスト文章のキーワード部分については３Ｄグラフィックデータを置き換えて表示することにより、３Ｄグラフィックデータを表示する表示手段と、を備えることを特徴とする。
【００１４】
請求項９の発明は、請求項８に記載の電子データ表示装置において、前記３Ｄグラフィックデータベースに蓄積されている３Ｄグラフィックデータには、３Ｄグラフィックに動きを与えるアニメーション定義データが含まれており、前記表示手段は、前記テキスト文章のキーワード部分を３Ｄグラフィックのアニメーションに置き換えて再生する手段、を含むことを特徴とする。
【００１５】
請求項１０の発明は、請求項９に記載の電子データ表示装置において、前記表示手段は、前記３Ｄグラフィックのアニメーションが最終的に前記テキスト文章のキーワード部分で動作するように制御する手段、を含むことを特徴とする。
【００１６】
請求項１１の発明は、テキストデータを入力する工程と、前記テキストデータのテキスト文章から３Ｄグラフィックデータベースに登録されているキーワードを抽出する工程と、抽出したキーワードに対応する３Ｄグラフィックデータを前記３Ｄグラフィックデータベースから取得する工程と、前記テキスト文章のキーワード以外の部分は元のテキスト文章を表示し、前記テキスト文章のキーワード部分については３Ｄグラフィックデータを置き換えて表示することにより、３Ｄグラフィックデータを表示する表示工程と、を備えることを特徴とする。
【００１７】
請求項１２の発明は、請求項１１に記載の電子データ表示方法において、前記３Ｄグラフィックデータベースに蓄積されている３Ｄグラフィックデータには、３Ｄグラフィックに動きを与えるアニメーション定義データが含まれており、前記表示工程は、前記テキスト文章のキーワード部分を３Ｄグラフィックのアニメーションに置き換えて表示する工程、を含むことを特徴とする。
【００１８】
請求項１３の発明は、請求項１２に記載の電子データ表示方法において、前記表示工程は、前記３Ｄグラフィックのアニメーションが最終的に前記テキスト文章のキーワード部分で動作するように制御する工程、を含むことを特徴とする。
【００１９】
請求項１４の発明は、コンピュータプログラムであって、コンピュータにインストールされることにより、請求項１１ないし請求項１３のいずれかに記載の電子データ表示方法を実行する。
【発明の効果】
【００２０】
本発明の電子メール表示装置は、受信した電子メールのテキスト文章からキーワードを抽出し、キーワード部分を３Ｄグラフィックに置き換えて３Ｄグラフィックメールとして表示する。これにより、プレーンテキストとして送信された電子メールを受信した場合でも、３Ｄグラフィックメールを楽しむことが可能である。
【００２１】
また、３Ｄグラフィックデータは、アニメーション定義データを含んでおり、３Ｄグラフィックがアニメーションとして表示されるので、より表現力豊かな電子メールを簡易に楽しむことが可能である。
【発明を実施するための最良の形態】
【００２２】
以下、図面を参照しつつ本発明の実施の形態について説明する。図１は、メールシステムの全体図である。パーソナルコンピュータ（ＰＣ）１、携帯電話装置２およびメールサーバ３は、それぞれネットワーク４に接続可能であり、ＰＣ１および携帯電話装置２は、電子メールの送信機能を備えている。ネットワーク４は、インターネットや電話回線網を含んでいる。
【００２３】
本実施の形態において、ＰＣ１および携帯電話装置２は、プレーンテキストの電子メールを送信する機能を備えていればよい。ＰＣ１あるいは携帯電話装置２から送信されたプレーンテキストの電子メールは、インターネット４を介して、メールサーバ３に転送される。
【００２４】
携帯電話装置１０は、メールサーバ３にアクセスし、ＰＣ１あるいは携帯電話装置２から送信されたプレーンテキストの電子メールを受信する。そして、携帯電話装置１０は、後述する処理を実行することにより、受信したプレーンテキストを３Ｄグラフィックに置き換えて、３Ｄグラフィックメールを再生するのである。
【００２５】
次に、図２を参照しつつ、本発明の電子メール表示装置の実施の形態に係る携帯電話装置１０の構成について説明する。図２は、携帯電話装置１０の機能ブロック図である。携帯電話装置１０は、最寄りの基地局との間で電波の送受信を行うアンテナ１１、アンテナ１１を介して通信処理を実行する通信処理部１２、携帯電話装置１０の全体制御を行うＣＰＵ１３、ＣＰＵ１３が様々な処理を実行する際のバッファ領域とし、あるいは、様々なデータの一時格納領域として利用されるＲＡＭ１４を備えている。
【００２６】
また、携帯電話装置１０は、電話番号の入力、電子メールの入力、その他、携帯電話装置１０に対する各種の情報、操作を入力する操作部１５、音声を入力するマイク１６、スピーカ１７、電話番号、電子メールの内容、画像などを表示させる表示部１８、フラッシュメモリ１９を備えている。操作部１５は、数字あるいは文字を入力するキー、十字カーソルなどの操作ボタンを含んでいる。表示部１８は、グラフィック表示モジュールと、グラフィック表示モジュールから出力された表示データを表示する液晶ディスプレイとを含んでいる。
【００２７】
また、フラッシュメモリ１９には、３Ｄグラフィックメールプログラム２１、３Ｄグラフィックデータベース２２、３Ｄグラフィックエンジン２３が格納されている。３Ｄグラフィックメールプログラム２１は、３Ｄグラフィックを用いた電子メールを作成および表示するための処理プログラムである。また、３Ｄグラフィックエンジン２３は、３Ｄグラフィックメールプログラム２１が作成した３Ｄグラフィックメールを表示部１８に表示させるためのモジュールである。なお、この実施の形態においては、３Ｄグラフィックエンジンは、ソフトウェアで実現しているが、ハードウェアで構成するようにしてもよい。
【００２８】
３Ｄグラフィックデータベース２２は、所定のキーワードと３Ｄグラフィックデータとを対応付けたデータベースであるとともに、対応付けられた３Ｄグラフィックデータを蓄積しているデータベースである。ここで、３Ｄグラフィックデータとは、３Ｄモデルデータとアニメーション定義データとを含んでいる。３Ｄモデルデータは、３Ｄのオブジェクトを定義したデータであり、アニメーション定義データは、３Ｄモデルデータに動きや変形を与えるためのデータである。つまり、３Ｄモデルデータにより、表示させる３Ｄオブジェクトの立体的形状、大きさ、色などが定義され、アニメーション定義データは、３Ｄモデルデータにより定義されている３Ｄオブジェクトを回転させたり、拡大させたり、移動させたり、変形させたりするための処理を定義したデータである。
【００２９】
次に、図３を参照して、３Ｄグラフィックメールプログラム２１の処理の内容について説明する。図３において、処理部３０は、３Ｄグラフィックメールプログラム２１が、ＣＰＵ１３、ＲＡＭ１４などのハードウェア資源を利用して実行することにより実現される処理ブロックである。処理部３０は、キーワード抽出部３１、３Ｄグラフィックデータ選択部３２、表示データ作成部３３を処理モジュールとして備えている。
【００３０】
キーワード抽出部３１は、電子メールテキストデータ２５を読み込み、電子メールテキストデータ２５からキーワードを抽出する処理部である。ここで、キーワードは、上述した３Ｄグラフィックデータベース２２に登録されているデータベースである。
【００３１】
図４に、３Ｄグラフィックデータベース２２の登録例を示す。図中、左の欄は、登録されたキーワードであり、右の欄は、登録されたキーワードに対応して蓄積されている３Ｄグラフィックデータである。たとえば、食事、ディナー、ランチといったキーワードが登録されており、これらキーワードには、ナイフとフォークを描写した３Ｄグラフィックデータが対応付けられている。具体的には、図で示したようなナイフとフォークを描写した３Ｄモデルデータと、この３Ｄモデルデータに動きや変形を与えるアニメーション定義データとが蓄積されている。同様に、酒、カクテル、バーといったキーワードに対しては、図で示したように、カクテルの入ったグラスを描写した３Ｄグラフィックデータが対応付けられて蓄積されている。
【００３２】
アニメーション定義データは、たとえば、ナイフとフォークを描写した３Ｄグラフィックが、ぐるぐる回転しながら移動するような処理を定義している。あるいは、グラスを描写した３Ｄグラフィックが拡大したり縮小したりしながら移動するような処理を定義している。
【００３３】
図３に戻る。キーワード抽出部３１により、電子メールテキストデータ２５からキーワードが抽出されると、抽出したキーワード情報が３Ｄグラフィックデータ選択部３２に受け渡される。３Ｄグラフィックデータ選択部３２は、取得したキーワード情報に基づいて、３Ｄグラフィックデータベース２１を検索し、対応する３Ｄグラフィックデータを取得する。具体的には、キーワードに対応した３Ｄモデルデータとアニメーション定義データとを取得する。
【００３４】
３Ｄグラフィックデータ選択部３２により、３Ｄグラフィックデータが取得されると、このデータが、表示データ作成部３３に受け渡される。そして、表示データ作成部３３は、電子メールテキストデータ２５と取得した３Ｄグラフィックデータとから３Ｄグラフィックメールを作成する。表示データ作成部３３が３Ｄグラフィックメールを作成すると、このデータは、３Ｄグラフィックエンジン２３により、表示部１８に対して出力される。
【００３５】
次に、本実施の形態に係る３Ｄグラフィックメールの再生処理の流れを説明する。図５は、３Ｄグラフィックメールプログラム２１による処理フローを示す図である。
【００３６】
まず、図１で示したように、ＰＣ１や携帯電話装置２などから携帯電話装置１０に対するプレーンテキストの電子メールが送信される。携帯電話装置１０は、メールサーバ３を介してプレーンテキストの電子メールを受信する。
【００３７】
携帯電話装置１０がプレーンテキストの電子メールを受信すると、３Ｄグラフィックメールプログラム２１が起動し、キーワード抽出部３１が電子メールテキストデータ２５を入力する（ステップＳ１）。
【００３８】
次に、キーワード抽出部３１は、電子メールテキストデータ２５と３Ｄグラフィックデータベース２２とを参照し、テキスト文章内にキーワードが含まれているか否かを判定する（ステップＳ２）。
【００３９】
ここで、キーワードが含まれていない場合には、ステップＳ４に移行する。キーワードが含まれている場合には、３Ｄグラフィックデータ選択部３２に対してキーワード情報が受け渡され、３Ｄグラフィックデータ選択部３２により、キーワードに対応する３Ｄグラフィックデータが取得される（ステップＳ３）。
【００４０】
次に、３Ｄグラフィックデータ選択部３２が取得した３Ｄグラフィックデータが表示データ作成部３３に受け渡され、表示データ作成部３３により、３Ｄグラフィックメールが作成される（ステップＳ４）。具体的には、電子メールテキストデータ２５に記述されているテキスト文章中、抽出されたキーワード以外の部分については、元のテキスト文章がそのまま表示され、抽出されたキーワード部分については、対応する３Ｄグラフィックが置き換えられて表示され、テキスト文章と３Ｄグラフィックからなる電子メールが作成されるのである。
【００４１】
なお、ステップＳ２においてキーワードが抽出されなかった場合には、ステップＳ４は、プレーンテキストの電子メールをそのまま出力する。
【００４２】
表示データ作成部３３が３Ｄグラフィックメールを作成すると、このデータが、３Ｄグラフィックエンジン２３に対して出力されるのである（ステップＳ５）。３Ｄグラフィックエンジン２３は、表示データ作成部３３が作成した３Ｄグラフィックメールを、表示部１８に対して出力する。これにより、液晶ディスプレイに、３Ｄグラフィックメールが表示されるのである。
【００４３】
表示データ作成部３３が作成する３Ｄグラフィックメールの一例を示す。まず、電子メールテキストデータ２５に記述されたテキスト文字が順次先頭から表示される。そして、キーワード部分に到達すると、対応する３Ｄグラフィックの再生が開始する。この３Ｄグラフィックは、アニメーション定義データに従って、ディスプレイ上を飛び回ったり、跳ねたり、様々な動きをとる。あるいは、形が変形したり、色が変化したりする。そして、表示データ作成部３３は、３Ｄグラフィックがアニメーション定義データに従って一連の動きをした後、テキスト文章のキーワード部分で停止するよう３Ｄグラフィックメールを作成するのである。言い換えると、本来３Ｄグラフィックに置き換えられなかった場合、キーワードが表示される位置に３Ｄグラフィックが表示されるのである。あるいは、キーワード部分で小さな動きや変形を行いながら留まる。これにより、一連のテキスト文章中、キーワードに対応する部分が３Ｄグラフィックに置き換わるのである。
【００４４】
たとえば、図６に示すように、受信した電子メールのテキスト文章が「今度の旅行とてもワクワクしています・・・」という文章であったとする（図６（ａ））。携帯電話装置１０のディスプレイ上には、始め「今度の旅行とても」という文字が表示される。続いて、ワクワクに対応する３Ｄグラフィックのアニメーションの再生が開始する（図６（ｂ））。そして、３Ｄグラフィックは、移動や回転などの動作を行った後、キーワード部分に収まる（図６（ｃ））。３Ｄグラフィックがキーワード位置に収まると、次に、残りの文字「しています・・・」が表示されるのである（図６（ｄ））。
【００４５】
このように、本実施の形態の携帯電話装置１０によれば、プレーンテキストの電子メールを受信した場合であっても、登録されているキーワードがテキスト文章に含まれている場合には、これを３Ｄグラフィックに置き換えて楽しむことが可能である。特に、本発明によれば、プレーンテキストの電子メールを受信して、受信側の単独の処理によって３Ｄグラフィックメールを再生することが可能である。このため、端末間の仕様の違い、キャリアの違いなどの制約を受けることなく、簡易に３Ｄメールを楽しむことが可能である。
【００４６】
なお、フラッシュメモリ１９に格納されている３Ｄグラフィックメールプログラム２１、３Ｄグラフィックデータベース２２、３Ｄグラフィックエンジン２３は、携帯電話装置１０にプリインストールされていてもよいし、ユーザがネットワーク上のサーバからダウンロードする形態であってもよい。あるいは、携帯電話装置１０に着脱可能な記憶媒体にこれら各データを収納し、記憶媒体を介してフラッシュメモリ１９内に取り込むようにしてもよい。
【００４７】
また、３Ｄグラフィックメールプログラム２１は、電子メールを再生するための単独のプログラムであってもよいし、あるいは、携帯電話装置に搭載されている標準のメールプログラムにアドインされる付加機能プログラムとして動作してもよい。
【００４８】
上記の実施の形態においては、３Ｄグラフィックデータベース２２に蓄積されている３Ｄグラフィックデータは、３Ｄモデルデータとアニメーション定義データとを含んでいると説明した。このようなデータを持たせることで、キーワードに対応する３Ｄグラフィックに動きを与えることが可能であるが、アニメーション定義データを持たない構成であってもよい。この場合には、キーワード部分に静的な３Ｄグラフィックが置き換わる電子メールを再生させることが可能である。
【００４９】
上記の実施の形態においては、３Ｄグラフィックメールを再生する電子メール表示装置として携帯電話装置を一例に説明したが、本発明の電子メール表示装置は、携帯電話装置に限らず、ＰＣや携帯情報端末などにおいても、もちろん適用可能である。
【００５０】
上記の実施の形態においては、３Ｄグラフィックメールを再生する携帯電話装置１０が、メールサーバ３にアクセスして電子メールを取得する場合を例に説明した。つまり、携帯電話装置１０がＰＯＰ３やＩＭＡＰ４などのプロトコルを利用して、電子メールを受信する場合を例に説明したが、たとえば、ＷＥＢメールシステムを利用し、電子メールを受信する形態であってもよい。あるいは、携帯電話同士で文字メッセージの送受信を行うＳＭＳ（Short Message Service）や、ＳＭＳが機能拡張されたＥＭＳ（Enhanced Messaging Service）やＭＭＳ（Multimedia Messaging Service）に本発明を適用させてもよい。これにより、文字ベースの簡易なメッセージ交換サービスであるＳＭＳを利用しながら、受信側で、３Ｄグラフィックメッセージを楽しむことが可能である。
【００５１】
上記の実施の形態においては、受信した電子メールのテキスト文章を３Ｄグラフィックに置き換えて表示させる方法を説明したが、たとえば、ＷＥＢブラウザで表示するコンテンツに対して３Ｄグラフィックへの置き換えを行うようにしてもよい。その他、ネットワークを通じて受信した各種の電子テキストデータや電子メッセージからキーワードを抽出し、３Ｄグラフィックで置き換えて表示するようにしてもよい。
【図面の簡単な説明】
【００５２】
【図１】電子メールシステムの全体図である。
【図２】実施の形態に係る電子メール再生装置である携帯電話装置の機能ブロック図である。
【図３】３Ｄグラフィックメールプログラムの処理モジュールを示す図である。
【図４】３Ｄグラフィックデータベースの登録例を示す図である。
【図５】３Ｄグラフィックメールプログラムの処理内容を示すフローチャートである。
【図６】３Ｄグラフィックメールの再生イメージの一例を示す図である。
【符号の説明】
【００５３】
１０    携帯電話装置
１９    フラッシュメモリ
２１    ３Ｄグラフィックメールプログラム
２２    ３Ｄグラフィックデータベース
２３    ３Ｄグラフィックエンジン
【図１】
2006215801.tif 000003
【図２】
2006215801.tif 000004
【図３】
2006215801.tif 000005
【図４】
2006215801.tif 000006
【図５】
2006215801.tif 000007
【図６】
2006215801.tif 000008